(57)【要約】【課題】使用の際にストッパ部材を紛失するおそれをなくす。【解決手段】噴出器用ストッパ部材３０に、外周の一部に軸方向のスリットを有する筒状をなし、弾性に抗してスリットが押し開かれることによりステム２２のまわりに着脱自在にかつ軸方向に反転自在にはめ付け可能とされる取付部３２と、その取付部の軸方向一端に形成されて、ステムに対する取付部の取り付け向きによりスパウト（操作部材）２３の操作を規制する鍔部３３とを設ける。【選択図】図１
2009286486.tif 000002
【特許請求の範囲】
【請求項１】
容器の口部に噴射装置が取り付けられ、その噴射装置の操作部材が操作されてステムが押し込まれることにより、前記容器の内容物が前記ステム内を通して外部に噴出される噴出器に使用され、
前記ステムのまわりにはめ付けられることにより前記操作部材の操作を規制する噴出器用ストッパ部材において、
外周の一部に軸方向のスリットを有する筒状をなし、弾性に抗して前記スリットが押し開かれることにより前記ステムのまわりに着脱自在にかつ軸方向に反転自在にはめ付け可能とされる取付部と、
その取付部の軸方向一端に形成されて、前記ステムに対する前記取付部の取り付け向きにより前記操作部材の操作を規制する鍔部と、
を有することを特徴とする噴出器用ストッパ部材。
【請求項２】
前記取付部と前記鍔部とで形成されるコーナー部に、液溜まり防止用の膨らみが設けられていることを特徴とする、請求項１に記載の噴出器用ストッパ部材。
【請求項３】
請求項１または２に記載の噴出器用ストッパ部材が備えられていることを特徴とする噴出器。
【請求項４】
前記噴射装置に、その噴射装置を前記容器の口部に取り付けるねじキャップと、そのねじキャップの中心から突出される前記ステムと、そのステムの先端に取り付けられる前記操作部材であるスパウトとが備えられ、
前記ステムに対する前記取付部の取り付け向きにより、前記スパウトを押し下げ操作するときに、前記取付部が入り込んで前記スパウトの押し下げ操作を可能とするように、該スパウトと前記ステムとの間に隙間が形成される一方、
前記ステムに対する前記取付部の取り付け向きを逆にした場合、前記スパウトを押し下げ操作するときに、そのスパウトが突き当たって該スパウトの操作を規制するように前記鍔部が形成されていることを特徴とする、請求項３に記載の噴出器。
【請求項５】
前記噴射装置がポンプ式であることを特徴とする、請求項３または４に記載の噴出器。
【請求項６】
前記噴射装置がエアゾール式であることを特徴とする、請求項３または４に記載の噴出器。
【発明の詳細な説明】
【技術分野】
【０００１】
この発明は、容器の口部に、ポンプ式やエアゾール式の噴射装置が取り付けられ、その噴射装置の、スパウトやトリガーレバーなどの操作部材が操作されてステムが押し込まれることにより、容器の内容物がステム内を通して外部に噴出される、化粧用等で用いる噴出器に関する。および、そのような噴出器に使用され、ステムのまわりにはめ付けられることにより操作部材の操作を規制する噴出器用ストッパ部材に関する。
【背景技術】
【０００２】
従来、噴出器では、例えばユーザーが携行するとき、バック内にある噴出器のスパウトやトリガーレバー等の操作部材を誤って押し込んだり回動したりして内容物を噴出し、バック内を汚したり、容器の内容物を無駄に消費したりする問題があった。
【０００３】
そこで、従来の噴出器の中には、例えば図７に示すように、噴射装置１に、その噴射装置１を容器２の口部２ａに取り付けるねじキャップ３と、そのねじキャップ３の中心から突出されるステム４と、そのステム４の先端に取り付けられるスパウト５とが備えられ、スパウト５が操作されてステム４が押し込まれることにより、容器２の内容物がステム４内を通してスパウト５のくちばし状の噴出部５ａの先端から外部に向けて噴出される噴出器において、不使用時には、ステム４のまわりにストッパ部材６を着脱自在に取り付けて、そのストッパ部材６をスパウト５とねじキャップ３との間に挟み込むことにより、スパウト５の押し下げ操作を不能とするものがある。
【０００４】
【特許文献１】特開２００６−２４０６３８号公報
【発明の開示】
【発明が解決しようとする課題】
【０００５】
ところが、このような噴出器では、使用する際にストッパ部材６を取り外したとき、誤って、取り外したストッパ部材６を紛失してしまうおそれがあった。
【０００６】
そこで、この発明の目的は、ステムのまわりにストッパ部材をはめ付けることによりスパウト等の操作部材の操作を規制し、不用意な内容物の噴出を阻止してバック内を汚したり、容器の内容物を無駄に消費したりする問題を解消する噴出器において、使用の際にストッパ部材を紛失するおそれをなくすことにある。
【課題を解決するための手段】
【０００７】
そのため、請求項１および２に記載の発明は、
容器の口部に噴射装置が取り付けられ、その噴射装置の操作部材が操作されてステムが押し込まれることにより、容器の内容物がステム内を通して外部に噴出される噴出器に使用され、
ステムのまわりにはめ付けられることにより操作部材の操作を規制する噴出器用ストッパ部材において、
外周の一部に軸方向のスリットを有する筒状をなし、弾性に抗してスリットが押し開かれることによりステムのまわりに着脱自在にかつ軸方向に反転自在にはめ付け可能とされる取付部と、
その取付部の軸方向一端に形成されて、ステムに対する取付部の取り付け向きにより操作部材の操作を規制する鍔部と、
を有する、ことを特徴とする。
【０００８】
ここで、取付部と鍔部とで形成されるコーナー部には、液溜まり防止用の膨らみが設けられているとよい。そして、使用時にこぼれた内容物が、表面張力等によりコーナー部に滞留して、外見を悪くしたり不衛生となったりする問題を解消することができる。
【０００９】
そして、噴出器の不使用時には、鍔部を操作部材側としてステムのまわりにストッパ部材をはめ付け、鍔部に当てて操作部材の操作が規制されるようにする。他方、噴出器の使用時には、ステムに対する取付部の取り付け向きを逆にしてステムのまわりにストッパ部材を取り付け、鍔部に当たらないようにして操作部材の操作規制が解除され、操作部材が操作されてステムが押し込まれることにより容器の内容物がステム内を通して外部に噴出される。
【００１０】
請求項３ないし６に記載の発明は、容器の口部にポンプ式やエアゾール式などの噴射装置が取り付けられる、請求項１または２に記載の噴出器用ストッパ部材が備えられていることを特徴とする噴出器である。
【００１１】
例えば、噴射装置に、その噴射装置を容器の口部に取り付けるねじキャップと、そのねじキャップの中心から突出されるステムと、そのステムの先端に取り付けられる操作部材であるスパウトとが備えられ、
ステムに対する取付部の取り付け向きにより、スパウトを押し下げ操作するときに、取付部が入り込んでスパウトの押し下げ操作を可能とするように、該スパウトとステムとの間に隙間が形成される一方、
ステムに対する取付部の取り付け向きを逆にした場合、スパウトを押し下げ操作するときに、そのスパウトが突き当たって該スパウトの操作を規制するように鍔部が形成されている。
【発明の効果】
【００１２】
請求項１および２に記載の発明によれば、噴出器の使用時にも、ステムのまわりにストッパ部材をはめ付けた状態とするので、ストッパ部材を紛失するおそれをなくすことができる。そして、噴出器の不使用時には、鍔部を操作部材側としてステムのまわりにストッパ部材をはめ付けることにより、鍔部に当てて操作部材の操作が規制されるので、不用意な内容物の噴出を阻止してバック内を汚したり、容器の内容物を無駄に消費したりする問題を解消することができる。
【００１３】
請求項３ないし６に記載の発明によれば、請求項１または２に記載の噴出器用ストッパ部材が備えられているので、ステムのまわりにストッパ部材をはめ付けることによりスパウト等の操作部材の操作を規制し、不用意な内容物の噴出を阻止してバック内を汚したり、容器の内容物を無駄に消費したりする問題を解消している噴出器において、使用時にもステムまわりにストッパ部材をはめ付けた状態とするので、使用の際にストッパ部材を紛失するおそれをなくすことができる。
【発明を実施するための最良の形態】
【００１４】
以下、図面を参照しつつ、この発明の実施の最良形態につき説明する。
図１には、この発明によるストッパ部材を使用している往復ポンプ式噴出器における不使用時の外観を示す。
【００１５】
図中符号１０は、容器である。容器１０は、プラスチック材料でボトル形状につくり、その口部１１外周に雄ネジを設け、図示省略するが、この例では、内部に、内容物として化粧液が収納されている。その容器１０の口部１１には、ポンプ式噴射装置２０が取り付けられる。
【００１６】
図示省略するが、ポンプ式噴射装置２０には、周知のとおり、ハウジング、そのハウジング内に挿入してハウジング内にシリンダ室を形成するピストン、シリンダ室の入口に設ける入口弁、出口に設ける出口弁、シリンダ室に設けてピストンを復帰する復帰スプリングなどが備えられている。
【００１７】
噴射装置２０には、また、内周に設ける雌ねじを容器１０の口部１１外周にねじ付けることにより噴射装置２０を容器１０の口部１１に取り付けるねじキャップ２１と、そのねじキャップ２１の中心から突出されるステム２２と、そのステム２２の先端に取り付けられる操作部材であるスパウト２３とが備えられている。この例では、スパウト２３には、くちばし状の噴出部２４が形成されている。
【００１８】
図中符号２５は、スパウト２３の操作を規制するストッパ部材であり、ねじキャップ２１とスパウト２３との間においてステム２２のまわりにはめ付けられている。
【００１９】
図２には、図１に示す噴出器で使用するストッパ部材３０を示す。
図２から判るとおり、ストッパ部材３０は、外周の一部に軸方向のスリット３１を有する筒状をなす取付部３２と、その取付部３２の軸方向の一端に形成される鍔部３３とを有する。
【００２０】
そして、スリット３１がステム２２に押し当てられて押し付けられ、弾性に抗してスリット３１が押し開かれることにより、図１に示すようにステム２２のまわりにストッパ部材３０がはめ付けられる。ストッパ部材３０は、例えば鍔部３３を持って押し付けたり引っ張ったりすることにより、ステム２２に対して着脱自在となっており、また軸方向に反転自在にはめ付け可能となっている。そして、噴出器の不使用時にあっては、図示するように、鍔部３３をスパウト２３側としてステム２２のまわりに取り付けられている。
【００２１】
図３には、図１に示す不使用状態で、スパウト２３を押し下げ操作した場合を示す。
このように、鍔部３３をスパウト２３側としてステム２２のまわりにストッパ部材３０がはめ付けられている状態では、スパウト２３を押し下げ操作しても、鍔部３３に突き当たってスパウト２３の操作が規制されるようになっている。
【００２２】
図４には、図１の噴出器における使用時の外観を示す。
噴出器の使用時には、ストッパ部材３０を軸方向に反転してステム２２に対する取付部３２の取り付け向きを逆にし、図示するように鍔部３３をねじキャップ２１側として、ねじキャップ２１とスパウト２３との間においてステム２２のまわりにはめ付けられる。
【００２３】
図５には、図４に示す使用状態で、スパウト２３を押し下げ操作した場合を示す。
このように、鍔部３３をねじキャップ２１側としてステム２２のまわりにストッパ部材３０がはめ付けられている状態で、スパウト２３を押し下げ操作すると、スパウト２３とステム２２との間の隙間に取付部３２が入り込んでスパウト２３の押し下げ操作を可能とすることができる。
【００２４】
これにより、鍔部３３に当たらないようにしてスパウト２３の操作規制が解除され、スパウト２３が操作されてステム２２が押し込まれることにより、容器１０の内容物がステム２２と通してスパウト２３内に入り、噴出部２４の先端の噴口から外部に噴出されることとなる。
【００２５】
図６（Ａ）にはストッパ部材３０の改良例を示し、（Ｂ）には取付部３２と鍔部３３とで形成されるコーナー部の拡大断面を示す。
取付部３２と鍔部３３とで形成されるコーナー部には、図示するように液溜まり防止用の膨らみ３４が設けられ、噴出器の使用時にこぼれた内容物が、表面張力等によりコーナー部に滞留して、外見を悪くしたり不衛生となったりするおそれを解消することができるようになっているとよい。
【００２６】
ところで、上述した図示例では、往復ポンプ式の噴出器にストッパ部材３０を設けた場合について説明したが、エアゾール式の噴出器にも同様にこの発明によるストッパ部材を用いることができ、また図示例のようなストッパ部材を用いてこの発明による噴出器を形成することができる。
【００２７】
一方、操作部材としてスパウト２３を用いたが、操作部材はスパウトに限るものではなく、トリガーレバーなどであってもよい。
【図面の簡単な説明】
【００２８】
【図１】この発明によるストッパ部材を使用している往復ポンプ式噴出器における不使用時の外観図である。
【図２】図１に示す噴出器で使用するストッパ部材の斜視図である。
【図３】図１に示す不使用状態で、スパウトを押し下げ操作した場合を示す状態図である。
【図４】図１に示す噴出器の使用時の外観図である。
【図５】図４に示す使用状態で、スパウトを押し下げ操作した場合を示す状態図である。
【図６】（Ａ）はストッパ部材の改良例の斜視図、（Ｂ）にはその取付部と鍔部とで形成されるコーナー部の拡大断面図である。
【図７】従来のストッパ部材を使用している噴出器の不使用時の外観図である。
【符号の説明】
【００２９】
１０    容器
１１    口部
２０    噴射装置
２１    ねじキャップ
２２    ステム
２３    スパウト（操作部材）
２４    スパウトの噴出部
３０    ストッパ部材
３１    スリット
３２    取付部
３３    鍔部
３４    膨らみ
【図１】
2009286486.tif 000003
【図２】
2009286486.tif 000004
【図３】
2009286486.tif 000005
【図４】
2009286486.tif 000006
【図５】
2009286486.tif 000007
【図６】
2009286486.tif 000008
【図７】
2009286486.tif 000009